(57)【要約】【課題】空気圧システム（１２）に送られる圧縮空気（１０２）を制御するための方法を提供する。【解決手段】本方法は、プラットフォーム内の複数の空気圧システム（１２）の各々についての性能要求（１３２）のセットを取得するステップであって、性能要求（１３２）が空気圧システム（１２）の各々に供給される圧縮空気（１０２）の必要を指示する、ステップと、空気圧システム（１２）に圧縮空気（１０２）を供給するように構成された可変速空気圧縮機（１１０）の最高許容空気吐出温度限界（１３８）を特定するステップと、可変速空気圧縮機の動作を、可変速空気圧縮機を最高許容空気吐出温度限界（１３８）未満で動作させながら空気圧システム（１２）のうちの少なくとも１つについての取得された性能要求（１３２）を満たすために空気圧システム（１２）に圧縮空気（１０２）を供給するよう制御するステップと、を含む。【選択図】図２
2020153364.tif 000002
【特許請求の範囲】
【請求項１】
空気圧システム（１２）に送られる圧縮空気（１０２）を制御するための方法であって、前記方法が、
プラットフォーム内の複数の空気圧システム（１２）の各々についての性能要求（１３２）のセットを取得するステップであって、前記性能要求（１３２）が前記空気圧システム（１２）の各々に供給される前記圧縮空気（１０２）の必要性を示す、ステップと、
前記空気圧システム（１２）に圧縮空気（１０２）を供給するように構成された可変速空気圧縮機（１１０）の最高許容圧縮機空気吐出温度限界（１３８）を特定するステップと、
前記可変速空気圧縮機（１１０）を前記最高許容圧縮機空気吐出温度限界（１３８）未満で動作させながら、前記空気圧システム（１２）のうちの少なくとも１つについての取得された性能要求（１３２）を満たすために前記空気圧システム（１２）に前記圧縮空気（１０２）を供給するよう前記可変速空気圧縮機（１１０）の速度を制御するステップとを含む、方法。
【請求項２】
複数の空気圧システム（１２）についての複数の性能要求（１３２）を特定するステップが、前記複数の空気圧システム（１２）の各々についての最大空気圧、最大空気流量、および最低気温のうちの少なくとも１つを特定するステップをさらに含む、請求項１に記載の方法。
【請求項３】
前記特定された最大空気圧の中から最大空気圧（４００）を選択するステップと、
前記特定された最低気温の中から最低気温（４０４）を選択するステップと、
前記選択された最大空気圧（４００）および前記最低気温（４０４）を満たすように、前記空気圧システム（１２）のうちの少なくとも１つに前記圧縮空気（１０２）を供給するよう前記可変速空気圧縮機（１１０）の動作を制御するステップと
をさらに含む、請求項１または２に記載の方法。
【請求項４】
取得された性能要求（１３２）と特定された最高許容圧縮機空気吐出温度限界（１３８）とに基づいて前記可変速空気圧縮機（１１０）をピーク効率で動作させるための所望の圧縮機動作マップポイント（９０８）を特定するステップと、
ピーク効率および所定のサージマージン（４８）での前記圧縮機動作マップポイント（９０８）を達成するように、前記可変速空気圧縮機（１１０）の形状（２０８）を制御するステップと
をさらに含む、請求項１から３のいずれか一項に記載の方法。
【請求項５】
前記可変速空気圧縮機（１１０）が圧縮機サージ条件で動作するのを抑制しながら、前記特定された圧縮機動作マップポイント（９０８）で前記空気圧システム（１２）に前記圧縮空気（１０２）を供給するようサージ逃し弁（１６２）を制御するステップをさらに含む、請求項１から４のいずれか一項に記載の方法。
【請求項６】
前記特定された圧縮機動作マップポイント（９０８）で前記空気圧システム（１２）に前記圧縮空気（１０２）を供給するよう熱サージ制御弁（１６０）を制御し、前記可変速空気圧縮機（１１０）が圧縮機サージ条件で動作するのを抑制し、前記可変速空気圧縮機（１１０）を前記最高許容圧縮機空気吐出温度限界（１３８）未満で動作させるステップをさらに含む、請求項１から５のいずれか一項に記載の方法。
【請求項７】
前記可変速空気圧縮機（１１０）が、前記可変速空気圧縮機（１１０）の入力または出力のどちらかに位置決めされた複数の調整可能な羽根（２１０）を含み、前記方法が、前記動作マップポイント（９０８）を達成するように、前記調整可能な羽根（２１０）の角度を変更するステップをさらに含む、請求項１から６のいずれか一項に記載の方法。
【請求項８】
前記圧縮空気（１０２）の温度を前記最高許容圧縮機空気吐出温度限界（１３８）未満に維持するように、ファン空気弁（１６６）を制御するステップをさらに含む、請求項１から７のいずれか一項に記載の方法。
【請求項９】
前記空気圧システム（１２）が空調パック（３０、３２）を含み、前記方法が、
空調パック要求が前記性能要求（１３２）の中から最大空気圧（４００）として選択された場合、空調パックの流量制御弁（１８２、１８９）を全開に位置決めするステップと、
前記空調パック要求が前記最大空気圧（４００）として選択されなかった場合、前記空調パック（３０、３２）に供給される圧縮空気流量を調節するように、前記空調パックの流量制御弁（１８２、１８９）の位置を調節するステップとをさらに含む、請求項１から８のいずれか一項に記載の方法。
【請求項１０】
少なくとも１つの圧縮機条件を監視するステップであって、前記少なくとも１つの圧縮機条件が、前記可変速空気圧縮機（１１０）の圧縮機速度、圧縮機入口圧力、圧縮機出口圧力、圧縮機出口温度、および流量のうちの少なくとも１つを含む、ステップと、
監視された圧縮機条件に基づいて前記可変速空気圧縮機（１１０）の速度または形状（２０８）、サージ逃し弁（１６２）、熱サージ制御弁（１６０）、およびファン空気弁（１６６）のうちの少なくとも１つを制御するステップと
をさらに含む、請求項１から９のいずれか一項に記載の方法。
【請求項１１】
最小所望空気マニホールド圧力を特定するステップと、
前記空気圧システム（１２）の大部分または全部が動作していない場合のように前記空気圧システム（１２）の性能要求（１３２）が低い場合、前記特定された最小所望マニホールド圧力を維持するようにサージ逃し弁（１６２）を制御するステップと
をさらに含む、請求項１から１０のいずれか一項に記載の方法。
【請求項１２】
前記空気圧システムの性能要求（１３２）が低く、１つの動作圧縮機システムのみが必要である場合、圧縮機システムの１つを遮断するステップをさらに含む、請求項１から１１のいずれか一項に記載の方法。
【請求項１３】
圧縮機システムが遮断された場合、圧縮機速度をゼロｒｐｍに制御し、出口遮断弁を閉じるステップをさらに含む、請求項１から１２のいずれか一項に記載の方法。
【発明の詳細な説明】
【技術分野】
【０００１】
本開示は、一般に航空機に関し、特に、航空機の空気圧システムのための圧縮空気の生成に関する。
【背景技術】
【０００２】
航空機では、多くの空気圧システムが圧縮空気を使用して動作する。圧縮空気は、多くの場合、航空機エンジンから引き出された抽気から得られる。スロットルが航空機エンジンによって生成されるスラストを制御し、スラストは抽気の圧力および流量に影響を与える。そのため、空気圧システムに供給される圧縮空気の流量および圧力は、航空機エンジンのスロットル位置の関数である。
【０００３】
しかしながら、特定のスロットル設定で航空機エンジンから吐出される抽気は、空気圧システムの要求を満たさない場合がある。この問題の解決策の１つは、スロットルを再配置して、航空機エンジンの飛行アイドルスラストまたは地上アイドルスラストを調整することである。しかしながら、飛行アイドルスラストまたは地上アイドルスラストの調整には、非効率性と制限がある。
【０００４】
逆に、特定のスロットル設定で航空機エンジンから吐出される抽気は、空気圧システムの要求を超える場合がある。このような条件は、空気圧システムの要求を満たすために必要な動力よりも高いエンジンからの動力抽出を表す。この過剰な動力抽出は、不必要な燃料燃焼を表す。
【発明の概要】
【発明が解決しようとする課題】
【０００５】
したがって、上述した問題の少なくともいくつか、および他の起こり得る問題を考慮に入れた方法および装置があれば望ましいはずである。例えば、圧縮空気を所望のレベルの効率で空気圧システムに供給することに関する技術的問題を克服する方法およびシステムがあれば望ましいはずである。
【課題を解決するための手段】
【０００６】
これらの特徴および機能を本開示の様々な実施形態において別々に達成することができ、またはこれらの特徴および機能は、以下の説明および図面を参照してさらなる詳細が理解され得る他の実施形態において組み合わされてもよい。
【０００７】
本開示による主題の一例は、空気圧システムに送られる圧縮空気を制御するための方法である。本方法は、プラットフォーム内の複数の空気圧システムの各々についての性能要求のセットを取得するステップであって、性能要求が空気圧システムの各々に供給される圧縮空気の必要を指示する、ステップと、空気圧システムに圧縮空気を供給するように構成された可変速空気圧縮機の最高許容空気吐出温度限界を特定するステップと、圧縮機の動作を、圧縮機を最高許容空気吐出温度限界未満で動作させながら空気圧システムのうちの少なくとも１つについての取得された性能要求を満たすために空気圧システムに圧縮空気を供給するよう制御するステップと、を含む。
【０００８】
例示的な実施形態に特徴的であると考えられる特徴は添付の特許請求の範囲に記載されている。しかしながら、例示的な実施形態、ならびにその好ましい使用モード、さらなる目的および特徴は、本開示の例示的な実施形態の以下の詳細な説明を添付の図面と併せて参照すれば最もよく理解されるであろう。
【図面の簡単な説明】
【０００９】
【図１】例示的な実施形態による圧縮空気環境の図である。
【図２】例示的な実施形態による可変速空気圧縮機の図である。
【図３】例示的な実施形態による、空気圧システムに送られる圧縮空気を制御するためのプロセスを示すフローチャートである。
【図４Ａ】例示的な実施形態による圧縮機動作マップポイントの決定を示すブロック図である。
【図４Ｂ】例示的な実施形態による圧縮機動作マップポイントの決定を示すブロック図である。
【図５】例示的な実施形態による圧縮機動作マップポイントの動作パラメーターを示すグラフである。
【発明を実施するための形態】
【００１０】
例示的な実施形態は、航空機などのプラットフォーム内の空気圧システムに送られる圧縮空気を制御するための方法、システム、および装置を提供する。１つの実施例では、コントローラーは、複数の空気圧システムについての１つまたは複数の性能要求を特定するように構成されている。本明細書で使用される場合、性能要求とは、空気圧システムがピーク効率で動作できるようにするために空気圧システムによって必要とされる圧縮空気の最適な圧力、流量、および／または温度である。
【００１１】
例示的な実施形態では、各空気圧システムは、性能要求のセットを満たす圧縮空気を必要とし得る。性能要求のセットは、単一の性能要求、２つの性能要求、または３つ以上の性能要求を含み得る。例えば、第１の空気圧システムは、空気圧システムがピーク効率で動作するために４０ポンド／平方インチ（ＰＳＩＡ）、４ポンド／秒、および華氏２００度（Ｆ）を超える気温で圧縮空気を受けることを必要とする性能要求のセットを有する場合がある。よって、第１の例示的な空気圧システムは、３つの性能要求、すなわち、（＞４０ＰＳＩＡ、＞４ポンド／秒、および＞２００Ｆ）を含むセットを有する。第２の異なる空気圧システムは、２つの性能要求（＞２０ＰＳＩＡ、＞３ポンド／秒、および＞３５０Ｆ）を含む性能要求のセットを有し得る。特に、第２の空気圧システムは、ピーク効率で動作するために圧縮空気が２０ＰＳＩＡで、３ポンド／秒超で提供されることを必要とする。したがって性能要求は、各空気圧システムがそのピーク効率で動作できるようにする固有のパラメーターセットを示す。
【００１２】
動作に際して、コントローラーは、航空機などのプラットフォーム内の複数の空気圧システムの各々についての性能要求のセットを取得する。コントローラーはまた、空気圧システムに圧縮空気を供給するように構成されている可変速空気圧縮機の最高許容空気吐出温度限界を特定する。次いでコントローラーは、空気圧システムから受け取られた性能要求と最高許容空気吐出温度限界を利用して可変速空気圧縮機の動作を制御する。特に、コントローラーは取得された情報を利用して、空気圧システムの各々に圧縮空気を供給すると同時に圧縮機が圧縮機の最高許容空気吐出温度限界未満で動作するようにする。
【００１３】
例示的な実施形態では、コントローラーは、空気圧システムの性能要求に基づいて目標圧縮機動作マップポイントを決定する。コントローラーはまた、空気圧システムに圧縮空気を供給するように構成された可変速空気圧縮機の最高許容空気吐出温度限界を特定する。次いでコントローラーは、空気圧システムに圧縮空気を供給すると同時に圧縮機が最高許容空気吐出温度限界を超えないようにするために、目標マップポイントで圧縮機を動作させる。
【００１４】
結果として、電気ベースの二次動力システムアーキテクチャと比較して、本実施形態は、電力システムおよび空調システムの複雑さを軽減することができる。エンジン抽気ベースの空気二次動力システムと比較して、本実施形態は、燃料消費量を削減し、最新の高バイパス比エンジン、航空機複合構造、および燃料システムとの容易な統合を促進することができる。
【００１５】
次に各図を参照し、特に図１を参照すると、例示的な実施形態による圧縮空気環境の図が示されている。この実施例では、圧縮空気環境１０は、プラットフォーム１４内の複数の空気圧システム１２を含む。図示されているように、プラットフォーム１４は航空機１６の形態を取る。
【００１６】
空気圧システム１２は、圧縮空気を使用して動作するプラットフォーム１４内の物理システムである。本例に示されているように、空気圧システム１２は、左翼防氷装置（ＷＡＩ）２０、右翼防氷装置（ＷＡＩ）２２、左翼空気圧式油圧システム２４、右翼空気圧式油圧システム２６、左空調（Ｌ  ＡＣ）パック３０、右空調（Ｒ  ＡＣ）パック３２、飲料水ユニット４０、補助動力ユニット（ＡＰＵ）４２、貨物ヒーター４４、第１の空気駆動式ポンプ（ＡＤＰ）４６、窒素生成システム（ＮＧＳ）４８、第２の空気駆動式ポンプ（ＡＤＰ）５０、および全大気温度プローブ（ＴＡＴ）５２のうちの少なくとも１つを含む。
【００１７】
上述したように、空気圧システム１２は、その効率的な動作を可能にするために、本明細書では性能要求と呼ばれる圧縮空気要件を有する。これらの性能要求は、プラットフォーム１４の動作中に変化し得る。例えば、プラットフォーム１４が航空機１６の形態を取る場合、性能要求は、航空機１６の飛行段階または他の種類の動作の少なくとも１つに応じて変化し得る。飛行段階は、静止地上、タキシング、離陸、初期上昇、エンルート、操縦、進入、降下、着陸、または航空機１６の他の飛行段階のうちの少なくとも１つを含み得る。
【００１８】
動作に際して、マニホールド１０４を介して空気圧システム１２に供給される圧縮空気１０２は、給気圧縮機システム１００によって生成される。この実施例では、給気圧縮機システム１００は、可変速空気圧縮機１１０と、空気圧システム１２のための圧縮空気１０２を生成する際の可変速空気圧縮機１１０の動作を制御する圧縮機コントローラー１１２とを含む。特に、圧縮機コントローラー１１２は、空気圧システム１２への圧縮空気１０２の供給を制御するように可変速空気圧縮機１１０を動作させる。
【００１９】
圧縮機コントローラー１１２は、ソフトウェア、ハードウェア、ファームウェア、またはそれらの組み合わせとして実装され得る。ソフトウェアが使用される場合、圧縮機コントローラー１１２によって行われる動作は、プロセッサーユニットなどのハードウェア上で動作するように構成されたプログラムコードで実施され得る。ファームウェアが使用される場合、圧縮機コントローラー１１２によって行われる動作は、プログラムコードおよびデータで実施され、プロセッサーユニット上で動作する永続的メモリに格納され得る。ハードウェアが用いられる場合、ハードウェアは、圧縮機コントローラー１１２で動作を行うように動作する回路を含み得る。
【００２０】
この実施例では、ハードウェアは、回路システム、集積回路、特定用途向け集積回路（ＡＳＩＣ）、プログラマブル・ロジック・デバイス、またはいくつかの動作を行うように構成された他の何らかの適切な種類のハードウェアのうちの少なくとも１つから選択された形態を取り得る。プログラマブル・ロジック・デバイスでは、デバイスはいくつかの動作を行うように構成され得る。デバイスは、後で再構成されてもよく、またはいくつかの動作を行うように永続的に構成されていてもよい。プログラマブル・ロジック・デバイスには、例えば、プログラマブル・ロジック・アレイ、プログラマブル・アレイ・ロジック、フィールド・プログラマブル・ロジック・アレイ、フィールド・プログラマブル・ゲートアレイ、および他の適切なハードウェアデバイスが含まれる。加えて、これらのプロセスは、無機構成要素と一体化された有機構成要素において実施されてもよく、人間を除く有機構成要素から完全に構成されてもよい。例えば、プロセスは有機半導体中の回路として実装されてもよい。
【００２１】
図２は、例示的な実施形態による図１に示される可変速空気圧縮機１１０の図である。この実施例では、可変速空気圧縮機１１０は、空気圧縮機２００と変速機２０２とを含む。可変速空気圧縮機１１０は、航空機エンジン１２２から受け取られた空気１２１の圧力および／または流量を、空気圧システム１２の性能要求を満たすよう変更するように構成されている。
【００２２】
図示されているように、航空機エンジン１２２は、エンジンコア（高速スプール）２０４とエンジンファン２１４とを含む。変速機２０２は、シャフト２０６によってエンジンコア２０４に連結されている。エンジンコア２０４は、変速機２０２を介して空気圧縮機２００に動力を提供する。例示的な実施形態では、変速機２０２は、アクセサリギアボックスがシャフト２０６を介して変速機２０２を駆動するよう構成されるように、エンジンコア２０４上のアクセサリギアボックスに結合され得る。他の例示的な実施形態では、変速機２０２は、エンジンファン２１４も駆動する低速スプール、または中間スプールに結合され、よって低速スプールによって駆動され得る。
【００２３】
この実施例では、変速機２０２は、空気圧縮機２００の速度２０３を調整するように構成されている。例えば、回転シャフト２０６がエンジンコア２０４と変速機２０２とを機械的に結合することができる。よって、シャフト２０６がエンジンコア２０４によって回転されると、動力が提供されて可変速空気圧縮機１１０を駆動／回転する。さらに別の実施例では、エンジンコア２０４以外の別の構成要素を介して変速機２０２に動力が提供され得る。例えば、エンジンコア２０４の代わりに、またはエンジンコア２０４に加えて、補助動力ユニット、または何らかの他の動力源が使用されてもよい。
【００２４】
空気圧縮機２００はまた、形状２０８も含む。形状２０８は、圧縮機出力圧力および／または圧縮機出力流量の少なくとも一方など、可変速空気圧縮機１１０内の１つまたは複数のパラメーターを調整するために変更され得る可変形状である。例えば、形状２０８は、羽根２１０の形態を取り得る。羽根２１０は、空気圧縮機２００への入力（入口）または空気圧縮機２００からの出力（出口）の少なくとも一方から選択された箇所に配置されている。この実施例では、羽根２１０は、可変速空気圧縮機１１０によって空気圧システム１２に供給される圧縮空気１０２の圧力および／または流量を変えるために角度２１２を変更するように構成されている。さらに別の実施例では、形状２０８は、羽根２１０に加えて、または羽根２１０の代わりに他の形態を取り得る。例えば、調整可能な角度を有する羽根２１０に加えて、またはその代わりに可変ディフューザーも使用され得る。
【００２５】
加えて、変速機２０２は圧縮機コントローラー１１２と通信している。変速機２０２の動作は、圧縮機コントローラー１１２によって制御される。形状２０８も圧縮機コントローラー１１２によって変更され得る。例えば、圧縮機コントローラー１１２は、羽根２１０の角度２１２を変更することができる。よって、圧縮機コントローラー１１２は、可変速空気圧縮機１１０の速度または可変速空気圧縮機１１０の形状２０８の少なくとも一方を制御して、可変速空気圧縮機１１０が空気圧システム１２の性能要求を満たす圧縮空気１０２を供給できるようにする。
【００２６】
再び図１を参照すると、給気圧縮機システム１００は予冷器１４０も含む。給気圧縮機システム１００には、圧力センサー１５０、圧力センサー１５２、温度センサー１５４、および流量センサー１５６の形態のセンサーも存在する。給気圧縮機システム１００は、熱サージ制御弁（ＨＳＣＶ）１６０、サージ逃し弁１６２、出口遮断弁１６４、およびファン空気弁（ＦＡＶ）１６６の形態の弁も含む。
【００２７】
動作に際して、圧力センサー１５２、温度センサー１５４、および流量センサー１５６は、空気圧縮機２００の出力からライン１７０を通って流れる圧縮空気の圧力、温度、および流量をそれぞれ検出する。
【００２８】
さらに、圧力センサー１５０は、図示の実施形態ではエンジンファン２１４に連結されているライン１２０を介して空気圧縮機２００に入力される空気の圧力を検出する。例示的な実施形態では、空気圧縮機２００に入力される空気は、ライン１２０を介してエンジンファン２１４から受け取られる。任意選択で、空気圧縮機２００は、エンジンコア２０４（すなわち抽気）、任意の他の利用可能な空気圧システム、または周囲空気からの入力空気を受け取り得る。圧力センサー１５０は、圧縮機マップ上の、本明細書でマップポイントとも呼ばれる、圧縮機動作点を識別するために使用されるデータポイントのうちの１つを提供する。
【００２９】
本明細書で使用される圧縮機マップは、例えば、特定の圧縮機の効率、質量流量範囲、ブースト圧能力、および／または回転速度を含み得る性能特性を記述するグラフである。例示的な圧縮機マップ９００が図５に示されている。加えて、本明細書で使用される「マップポイント」とは、圧縮機マップ上の動作点を指す。例えば、第１のマップポイントは、圧縮機によって生成されている現在または実際の圧力および／または流量を表し得る。一方、本明細書で目標マップポイントと呼ばれる第２のマップポイントは、空気圧システムのうちの少なくとも１つの性能要求を満たすために圧縮機が出力する必要がある圧力および／または流量を表し得る。一例として、ラベルまたは点９０８は、初期圧縮機動作マップポイントを表し、ラベルまたは点９１２は、目標圧縮機動作マップポイント１３６を表し得る。
【００３０】
図５に示されるように、Ｘ軸９０２は補正された流量を表し、Ｙ軸９０４は異なる圧縮機回転速度で動作する単一の圧縮機の圧力比を表す。線９０６は、異なる圧縮機速度で圧縮機によって達成され得る圧力と空気流との最大の組み合わせを表す。
【００３１】
本例では、点９０８、点９１０、および点９１２は、圧縮機動作マップポイントである。点９０８は、航空機の空調システムからの要件を満たす海面での圧縮機動作マップポイントを表す。点９１０は、同じ空調システムの要件を満たす２２，０００フィート（６，７０５．６メートル）での圧縮機動作マップポイントを表す。点９１２は、航空機が巡航高度にあるときの空調システムの要件を満たす圧縮機動作マップポイントを表す。
【００３２】
この実施例では、ライン９０６中の各ラインの中央で圧縮機を運転すると効率が向上する。図示されているように、流量の低減が圧縮機速度を下げることによってより効率的に行われ、流量の増加が圧縮機の速度を上げることによってより効率的に行われ得る。流量変化の大きさに応じて、入口案内羽根などの圧縮機形状を、圧縮機の形状の可変ディフューザー設定と共に変更することができる。
【００３３】
再び図１を参照すると、動作に際して、予冷器１４０は、空気圧縮機２００から吐出され、ライン１７０を流れる圧縮空気の動作温度を下げるように動作する。例示的な実施形態では、ライン１７０を介して空気圧縮機２００から吐出される圧縮空気の動作温度を下げるために冷却媒体としてファン吐出空気も使用される。動作に際して、ファン空気弁（ＦＡＶ）１６６は、予冷器１４０に供給される冷却媒体（ファン空気）の量を制御する。より詳細には、例示的な実施形態では、ファン空気はエンジンファン回路から抽出され、予冷器１４０内の予冷器熱交換器のヒートシンクとして使用され、ライン１７０を流れる圧縮機出口空気流を冷却するために使用される。
【００３４】
図示されているように、ライン１７２は、給気圧縮機システム１００内のフィードバックループである。フィードバックループは、圧縮空気を空気圧縮機２００にフィードバックし得る。このフィードバックは、圧縮空気の温度を上げるために、かつ／または流れを提供してサージ中の圧縮機の動作を回避するために行われ得る。この実施例では、熱サージ制御弁（ＨＳＣＶ）１６０がフィードバック・ループ・ライン１７２を制御する。熱サージ制御弁（ＨＳＣＶ）１６０は、圧縮機コントローラー１１２と通信している。サージ逃し弁１６２は、熱サージ制御弁（ＨＳＣＶ）１６０が十分な流量を提供できないか、または温度センサー１５４によって測定された圧縮機出口温度が過熱限界を超えるか、またはそれらの組み合わせが存在しており、サージ中の圧縮機の動作を回避するために追加の流量が必要である場合に空気を抜き取るように構成されている。
【００３５】
図示されているように、出口遮断弁１６４は、予冷器１４０およびマニホールド１０４に連結されている。動作に際して、給気圧縮機システム１００が動作しておらず、マニホールド１０４が補助動力ユニット（ＡＰＵ）４２、第２のエンジン圧縮機システム（反対側の翼に搭載されたエンジン）、または外部空気圧空気源などの別の供給源によって加圧されている場合、遮断弁１６４は空気の逆流を防止する。マニホールド１０４は、圧縮空気１０２が複数の空気圧システム１２に供給されることを可能にする複数の弁を含む。
【００３６】
図示されているように、マニホールド１０４内の弁には、調節弁１８０、逆止弁１８１、調節弁１８２、遮断弁１８３、遮断弁１８４、調節弁１８５、調節弁１８６、逆止弁１８７、調節弁１８８、遮断弁１８９、調節弁１９０、調節弁１９１、調節弁１９２、遮断弁１９３、および逆止弁１９４が含まれる。調節弁１８５および調節ファン空気弁（ＦＡＶ）１６６は、いくつかの実施例では遮断弁の形態を取り得る。動作に際して、複数の弁は、圧縮空気１０２が複数の空気圧システム１２の各々に供給されることを可能にするために、開かれ、閉じられ、または調節される。特に、複数の弁は、複数の空気圧システム１２の各々に供給される圧縮空気１０２が個々のシステムごとの個々の性能要求を満たすことができるように開かれ、閉じられ、または調節される。複数の弁のうちの１つまたは複数は、下流の漏れまたは破裂が検出されたときに閉じられるマニホールド隔離弁と呼ばれることがある。
【００３７】
図３は、例示的な実施形態による、空気圧システムに送られる圧縮空気を制御するためのプロセス３００のフローチャートである。プロセス３００を、図１にブロック形式で示されている圧縮空気環境１０で実施することができる。例えば、プラットフォーム１４内の給気圧縮機システム１００による圧縮空気１０２の生成を制御するために、圧縮機コントローラー１１２において様々な動作を実施することができる。
【００３８】
プロセス３００はまず、プラットフォーム内の空気圧システム１２の性能要求１３２（図４Ａおよび図４Ｂに示されている）を特定する（動作３０２）。性能要求１３２は、空気圧システムのための圧縮空気の必要を指示する。
【００３９】
図４Ａおよび図４Ｂに、空気圧、空気流、および／または温度を含み得る例示的な性能要求１３２を示す。上述したように、空気圧システム１２のうちの１つまたは複数が性能要求１３２を生成する。さらに、性能要求は、空気圧システムがピーク効率で動作できるようにするために空気圧システムによって必要とされる圧縮空気の最適な圧力、流量、および／または温度である。例示的な実施形態では、空気圧システム１２は、複数の性能要求を満たす圧縮空気を必要とし得る。よって、図１に示される空気圧システム１２の各々は、その特定の空気圧システムがピーク効率で動作するために必要とされる性能要求１３２のセットを有し得る。
【００４０】
いくつかの空気圧システム１２についての性能要求１３２が例示されているが、性能要求１３２はすべての空気圧システム１２または一部分のみの空気圧システム１２について生成され得ることを理解されたい。
【００４１】
図示の実施形態では、性能要求１３２は、左翼防氷装置（ＷＡＩ）２０、左空調（Ｌ  ＡＣ）パック３０、および窒素生成システム（ＮＧＳ）４８について生成される。ブロックラベルＮは、残りの空気圧システム１２の一部または全部について生成され得る性能要求Ｎａ１〜Ｎａ４を指定するために使用される。よって、図示の実施形態では、性能要求のセット２０ａは、左翼防氷装置（ＷＡＩ）２０から受け取られた性能要求を表し（同様の性能要求のセット２０ｂが右翼防氷装置（ＷＡＩ）２２を表し）、性能要求のセット３０ａは、左空調（Ｌ  ＡＣ）パック３０から受け取られた性能要求を表し（同様の性能要求のセット３０ｂが右空調（Ｒ  ＡＣ）パック３２を表し）、性能要求のセット４８ａは、窒素生成システム（ＮＧＳ）４８から受け取られた性能要求を表し、性能要求のセットＮａ１は、補助動力ユニット（ＡＰＵ）４２から受け取られた性能要求を表し、性能要求のセットＮａ２は、左翼空気圧式油圧システム２４から受け取られた性能要求を表し（同様の性能要求のセットＮａ２ｂは、右翼空気圧式油圧システム２６を表し）、性能要求のセットＮａ３は、第１の空気駆動式ポンプ（ＡＤＰ）４６から受け取られた性能要求を表し（同様の性能要求のセットＮａ３ｂは、第２の空気駆動式ポンプ（ＡＤＰ）５０を表し）、性能要求のセットＮａ４は、貨物ヒーター４４から受け取られた性能要求を表す。
【００４２】
例示的な実施形態では、以下でより詳細に説明するように、最低気温４０４がこの実施例の任意選択の性能要求１３２である。温度に関しては、圧縮空気１０２の気温を、熱サージ制御弁（ＨＳＣＶ）１６０および／またはファン空気弁（ＦＡＶ）１６６を調節することにより制御することができる。任意選択で、または熱サージ制御弁１６０および／もしくはファン空気弁１６６の使用に加えて、圧縮空気１０２の温度は、可変速空気圧縮機１１０のフィードバックシステム、可変速空気圧縮機１１０の出力に連結された予冷器１４０、または何らかの他の適切なデバイスもしくはシステムのうちの少なくとも１つを使用して調節されてもよい。
【００４３】
空気圧システム１２の各々が独自の固有の動作要件を有し、よって独自の性能要求１３２のセットも有することを理解されたい。よって、Ｍ個の空気圧システム１２（Ｍは整数）が給気圧縮機システム１００から圧縮空気を供給されている場合、圧縮機コントローラー１１２は、各それぞれの空気圧システム１２から１つずつ、最大Ｍセットの性能要求１３２を受け取り得る。
【００４４】
動作に際して、図１にブロック形式で示されている空気圧システム１２は、図４Ａおよび図４Ｂに示されている性能要求１３２を、図１にブロック形式で示されている圧縮機コントローラー１１２に、プラットフォームの動作中に動的に送ることができる。例えば、空気圧システム１２の各々についての性能要求１３２は、空気圧システム１２から圧縮機コントローラー１１２に送られる要求またはメッセージに含まれ得る。
【００４５】
他の実施例では、性能要求１３２は事前に知られていてもよい。言い換えると、性能要求１３２は、空気圧システム１２が圧縮機コントローラー１１２に性能要求１３２を送らなくてもよいように、空気圧システム１２ついて事前決定され得る。圧縮機コントローラー１１２は、データベース１３９または他の何らかのデータ構造内の性能要求１３２を探し出し、どの性能要求１３２が使用されるべきかを決定することができる。
【００４６】
例えば、航空機のフラップで使用される空気圧システムの圧力および空気流は、特定の飛行段階、操縦、または他の操作について事前に知られている場合がある。その特定の飛行段階、操縦、または他の操作が存在する場合には、その空気圧システムの性能要求１３２を、圧縮機コントローラー１１２に自動的に入力することができる。これらの性能要求は、様々な飛行段階、操縦、または他の操作が発生したときにコントローラー１１２が使用するために、ライブラリ、ファイル、または何らかの他のデータ構造に格納され得る。
【００４７】
動作に際して、空気圧システム１２内のコントローラー（図示されていない）は、給気圧縮機システム１００内の圧縮機コントローラー１１２に送られる性能要求１３２を生成し得る。任意選択で、より複雑でないシステムでは、性能要求１３２は、コンピューターシステム１３０内のデータベース１３９に先験的情報として格納されていてもよい。さらに、これらの性能要求１３２を航空機の動作中に動的に生成することができる。他の実施例では、性能要求１３２は事前に知られており、飛行段階、行われている操縦、対気速度、および他の飛行因子などの飛行パラメーターに基づいて生成され得る。
【００４８】
再び図３を参照すると、プロセス３００は次いで、性能要求１３２に基づいて圧縮機動作マップポイント１３６を決定する（動作３０４）。
【００４９】
この実施例では、圧縮機コントローラー１１２は空気圧システム１２と通信しており、空気圧システム１２についての性能要求１３２を特定するように構成されている。圧縮機コントローラー１１２はまた、空気圧システム１２から受け取られた性能要求１３２または上述した先験的情報に基づいて圧縮機動作マップポイント１３６を決定するようにも構成されている。
【００５０】
再び図４Ａおよび図４Ｂを参照すると、圧縮機コントローラー１１２は、Ｍ個の空気圧システム１２から受け取られたＭセットの性能要求１３２に基づいて、本明細書で目標マップポイント１３６とも呼ばれる単一の圧縮機動作マップポイント１３６を決定する。性能要求１３２に基づいて圧縮機動作マップポイント１３６を生成する際に、圧縮機コントローラー１１２は、圧縮機動作マップポイント１３６における圧縮機空気圧４１０として、受け取られた空気圧性能要求１３２の中から最大空気圧４００を選択する。圧縮機コントローラー１１２はまた、圧縮機動作マップポイント１３６における圧縮機空気流４１２として、受け取られた空気流性能要求１３２の中から最大空気流４０２も選択する。さらに、圧縮機コントローラー１１２は、圧縮機動作マップポイント１３６における圧縮機気温４１４として、受け取られた気温性能要求１３２の中から最低気温４０４を選択する。
【００５１】
結果として、圧縮機動作マップポイント１３６は、圧縮空気１０２が空気圧システム１２のうちの少なくとも１つの必要を満たすための圧縮機空気圧４１０、圧縮機空気流４１２、および圧縮機気温４１４を指定することになる。
【００５２】
再び図３を参照すると、プロセス３００は、圧縮機動作マップポイント１３６で圧縮空気１０２を空気圧システム１２に供給するよう可変速空気圧縮機１１０の動作を制御する（動作３０６）。動作に際して、圧縮機コントローラー１１２は、可変速空気圧縮機１１０を所望の圧縮機動作マップポイント１３６で最高許容圧縮機空気吐出温度限界１３８未満に維持しながら空気圧システム１２に圧縮空気１０２を供給するよう可変速空気圧縮機１１０の動作を制御するように構成されている。最高許容圧縮機空気吐出温度限界１３８は、燃料漏れゾーンの熱面燃料点火温度限界などの要件に基づいて事前決定され得る。材料限度および時間対温度の材料特性ノックダウンも、一部の飛行段階の最高温度限界に入力され得る。燃料点火限界は動的パラメーターではない。材料特性の限度（該当する場合）は、飛行段階とシステム動作状況とに基づく動的パラメーターであり得る。動作に際して、プロセスは、圧縮機動作マップポイント１３６で空気圧システム１２に圧縮空気１０２を供給するよう可変速空気圧縮機１１０の速度２０３または可変速空気圧縮機１１０の形状２０８の少なくとも一方を制御する。
【００５３】
さらに、性能要求１３２は、様々な動作モードで変化し得ることを理解されたい。図示されているように、これらの動作モードには、主動作モード、高過渡動作モード、および低要求動作モードが含まれ得る。
【００５４】
例えば、圧縮空気環境１０が主動作モードで動作しているとき、圧縮機コントローラー１１２は、左空調（Ｌ  ＡＣ）パック３０または右空調（Ｒ  ＡＣ）パック３２のどちらかの性能要求１３２を満たすよう可変速空気圧縮機１１０を動作させるように構成される。特に、圧縮機コントローラー１１２は、左空調パック流量制御弁（ＦＣＶ）１８２または右空調パック流量制御弁（ＦＣＶ）１８９のどちらかに信号を送り、全開に駆動され、可変速空気圧縮機１１０は左空調（Ｌ  ＡＣ）パック３０または右空調（Ｒ  ＡＣ）パック３２のどちらかの性能要求を満たすように動作する。左空調パック流量制御弁（ＦＣＶ）１８２または右空調パック流量制御弁（ＦＣＶ）１８９は、それぞれの空調コントローラーによって全開に制御され、給気圧縮機システム１００は、所望のパック流量を達成するよう可変速空気圧縮機１１０の動作を制御する。例示的な実施形態では、運転時に、両方のパックＦＣＶ１８２および１８９が全開位置で動作し、可変速空気圧縮機１１０は、左空調（Ｌ  ＡＣ）パック３０と右空調（Ｒ  ＡＣ）パック３２両方の必要を同時に満たすように駆動している。
【００５５】
主動作モードでは、その他の空気圧システム１２、例えば左空調（Ｌ  ＡＣ）パック３０および／または右空調（Ｒ  ＡＣ）パック３２以外のシステムは、各々がそれぞれの性能要求を満たすようそれぞれの入口弁の動作を制御する。一例として、可変速空気圧縮機１１０が左空調（Ｌ  ＡＣ）パック３０の性能要求を満たすように動作しており、よって左空調（Ｌ  ＡＣ）パック３０への入口が完全に開いていると仮定すると、その性能要求が可変速空気圧縮機１１０によって直接満たされていない残りの空気圧システム１２の入口弁は、独自の個々の性能要求を達成するよう調節される。特に、調節弁１８０は、左翼防氷装置（ＷＡＩ）２０への空気流を制御するよう動作し、逆止弁１８１は、左翼空気圧式油圧システム２４のタンクへの空気流を制御するよう動作するなどである。この機能を、個々のユーザー・システム・コントローラーによって管理することができる。残りの空気圧システム１２が所望の最小性能要求を達成できない場合、必要に応じて給気マニホールド圧力を上げることができる。このモードでは、特定の燃料消費量が削減される。
【００５６】
高過渡要求モードは高圧縮機空気が要求される場合に行われ得る。この要求は、例えば、第１および第２の空気駆動式ポンプ（ＡＤＰ）４６、５０の少なくとも一方から発せられ得る。このモードでは、圧縮機コントローラー１１２は、主要ユーザー、すなわち、左空調（Ｌ  ＡＣ）パック３０と右空調（Ｒ  ＡＣ）パック３２以外の空気圧システム１２の要求を満たすために必要な給気マニホールドの圧力および温度を制御するよう可変速空気圧縮機１１０を動作させるように構成される。本例では、可変速空気圧縮機１１０は、第１および第２の空気駆動式ポンプ（ＡＤＰ）４６、５０の少なくとも一方の性能要求を満たすように動作する。任意選択で、圧縮機コントローラー１１２は、空気圧システム１２の要求を満たすために必要な給気マニホールドの圧力および温度を制御するよう可変速空気圧縮機１１０を動作させるように構成される。下流の空気圧システムの決定を、個々の給気コントローラーのうちの少なくとも１つによって、または個々の空気圧システム１２から圧縮機コントローラー１１２への通信を介して管理することができる。この実施例では、左空調パック流量制御弁１８２および／または右空調パック流量制御弁１８９は、低減された流量レベルに調節される。この機能を、空調パックコントローラーによって管理することができる。
【００５７】
低要求モードは、給気要求が低い場合である。例えば、給気要求が低くなり得るのは、左空調（Ｌ  ＡＣ）パック３０または右空調（Ｒ  ＡＣ）パック３２の一方がオフにされ、他の制御手段（速度、熱サージ制御弁（ＨＳＣＶ）、および可変形状など）が十分な圧縮機サージマージンを維持することができない場合である。この状況では、サージ逃し弁１６２が必要に応じて開かれるかまたは調節される。この機能を、圧縮機コントローラー１１２によって制御することができる。
【００５８】
制御システムはまた、１つの給気圧縮機システム（ＡＳＣＳ）をオフにし、１つのエンジンの給気圧縮機システム（ＡＳＣＳ）のみを利用して給気マニホールドに供給し、ユーザーシステムの必要を満たしてもよい。図示されているように、この機能を、給気コントローラーまたは圧縮機コントローラーのうちの少なくとも１つによって管理することができる。例えば、制御システムは圧縮機を、圧縮機システム（ＡＳＣＳ）が遮断されると、圧縮機速度がゼロｒｐｍになり、出口遮断弁１６４を閉じるように制御し得る。制御システムはまた、下流の漏れまたは破裂が検出された場合に、１つの圧縮機システム（ＡＳＣＳ）を遮断し、マニホールド隔離弁（上述したものなど）を閉じてもよい。
【００５９】
１つの実施例では、所望のレベルの効率で空気圧システムに圧縮空気を供給することに関する技術的問題を克服する１つまたは複数の技術的解決策が存在する。結果として、１つまたは複数の技術的解決策により、航空機１６などのプラットフォームの効率を高めるように空気圧システム１２に圧縮空気１０２を供給する技術的効果が提供され得る。より具体的には、航空機エンジン１２２の効率が高まり得る。加えて、１つまたは複数の技術的解決策により、最大の圧力、空気流、温度、またはそれらの何らかの組み合わせを必要とする空気圧システムの性能要求１３２を満たす技術的効果も提供され得る。
【００６０】
結果として、コンピューターシステム１３０は、コンピューターシステム１３０内の圧縮機コントローラー１１２が、望み通りに空気圧システム１２の性能要求１３２を満たすように圧縮機動作マップポイント１３６で圧縮空気１０２を制御することを可能にする専用コンピューターシステムとして動作することになる。特に、圧縮機コントローラー１１２は、圧縮機コントローラー１１２のない現在利用可能な一般的なコンピューターシステムと比較して、コンピューターシステム１３０を専用のコンピューターシステムに変える。
【００６１】
図１〜図４における圧縮空気環境１０とこの環境内の様々な構成要素との例示は、例示的な実施形態が実施され得る方法に対する物理的制限やアーキテクチャ上の制限を意図したものではない。例示した構成要素に加えて、またはその代わりに他の構成要素が使用されてもよい。いくつかの構成要素が不要な場合もある。また、各ブロックはいくつかの機能要素を例示するために提示されている。これらのブロックのうちの１つまたは複数が、例示的な実施形態で実装される場合に結合され、分割され、または結合および分割して異なるブロックとされてもよい。
【００６２】
実施例は航空機１６に関して記載されているが、別の実施例が他の種類のプラットフォームに適用されてもよい。プラットフォーム１４は、例えば、移動式プラットフォーム、固定式プラットフォーム、陸上構造、水中構造、および宇宙構造であり得る。より具体的には、プラットフォーム１４は、水上艦船、タンク、人員運搬車、列車、宇宙船、宇宙ステーション、衛星、潜水艦、自動車、発電所、橋、ダム、家、製造施設、建物、その他の適切なプラットフォームであり得る。
【００６３】
いくつかの実施例では、空気圧システムについての性能要求は、様々な飛行段階について事前に知られている。結果として、空気圧システムから直接要求を受け取る必要がなくなる。代わりに、現在の飛行段階、操縦、またはその他の操作を、現在の飛行段階、操縦、またはその他の操作の間に動作する空気圧システムについてのどんな性能要求とも相関させないことを、空気圧システムについての性能要求を特定するために使用することができる。このようにして圧縮機動作マップポイントを決定することができる。さらに、圧縮機動作マップポイントを、同様に様々な飛行段階、操縦、またはその他の操作について事前に決定することができる。
【００６４】
図１に示されているように、コンピューターシステム１３０は物理ハードウェアシステムであり、１つまたは複数のデータ処理システムを含む。コンピューターシステム１３０は、航空機１６の航空用電子機器内の１つまたは複数のデータ処理システムを含み得る。複数のデータ処理システムが存在する場合、それらのデータ処理システムは通信媒体を使用して互いに通信する。通信媒体はネットワークであり得る。データ処理システムは、コンピューター、サーバーコンピューター、または何らかの他の適切なデータ処理システムのうちの少なくとも１つから選択され得る。
【００６５】
よって、実施例では、可変速空気圧縮機のコントローラーは、プラットフォーム内の空気圧システムについての性能要求から適切な圧縮機動作マップポイントを決定するように構成されている。コントローラーは、可変速空気圧縮機の動作を、目標圧縮機動作マップポイントで圧縮空気を生成するよう制御する。この制御は、可変速空気圧縮機の速度または形状の少なくとも一方を制御することによって行われ得る。
【００６６】
結果として、圧縮機の速度を変更して、圧力調節を必要としないように所望の圧力および流量を必要とするこの特定のシステムに圧縮空気が確実に供給されるようにすることができる。残りの空気圧システムは、弁機構を制御することによって所望の性能要求で圧縮空気を受け取ることができる。
【００６７】
一般に、可変速空気圧縮機は、任意の所与の点で圧縮空気の最大圧力または流量の少なくとも一方を必要とする空気圧システムの必要を満たすと同時に残りのシステムが独自の必要のために圧縮空気を調節することも可能にすることができる。
【００６８】
よって、１つまたは複数の実施例は、（特に着氷における）飛行アイドルスラストの改善を可能にし、高アイドル要件によって生じる飛行機の降下性能問題に対処し、特定の燃料消費量を削減し、地上アイドルを改善し、高アイドル要件によって生じる飛行機のグランドハンドリングおよびブレーキ摩耗の問題に対処し、着氷における最大連続スラストに起因するエンジンコアサイジングに対する衝撃を低減させ、空気圧システム設備の圧力および温度を低減させ、大規模な予冷器の必要（および関連付けられる重量、空間統合およびファンダクト性能への関連付けられる衝撃）をなくし、隣接した構造および設備への熱衝撃を低減させ、空間統合および材料選択の柔軟性を高め、断熱および遮蔽要件を低減させ、漏れ検出要件および関連付けられる脅威を低減させ、エンジン統合の柔軟性を高める（高スプール対低スプール馬力抽出）ことができる。
【００６９】
様々な例示的な実施形態の説明は例示と説明のために提示されており、網羅的であることも開示された形態の実施形態に限定されることも意図されていない。様々な実施例は、動作または操作を行う構成要素を説明している。例示的な実施形態において、構成要素は記載された動作または操作を行うように構成され得る。例えば、構成要素は、実施例において構成要素によって行われるものとして記載されている動作または操作を行う能力をその構成要素に与える構造のための構成または設計を有し得る。
【００７０】
さらに、本開示は以下の各項目に記載の実施形態を含む。
【００７１】
項目１．空気圧システムに送られる圧縮空気を制御するための方法であって、方法が、
プラットフォーム内の複数の空気圧システムの各々についての性能要求のセットを取得するステップであって、性能要求が空気圧システムの各々に供給される圧縮空気の必要を指示する、ステップと、
空気圧システムに圧縮空気を供給するように構成された可変速空気圧縮機の最高許容圧縮機空気吐出温度限界を特定するステップと、
可変速空気圧縮機の動作を、可変速空気圧縮機を最高許容圧縮機空気吐出温度限界未満で動作させながら空気圧システムのうちの少なくとも１つについての取得された性能要求を満たすために空気圧システムに圧縮空気を供給するよう制御するステップとを含む、方法。
【００７２】
項目２．複数の空気圧システムについての複数の性能要求を特定するステップが、複数の空気圧システムの各々についての最大空気圧、最大空気流量、および最低気温のうちの少なくとも１つを特定するステップをさらに含む、項目１に記載の方法。
【００７３】
項目３．特定された最大空気圧の中から最大空気圧を選択するステップと、
特定された最低気温の中から最低気温を選択するステップと、
可変速空気圧縮機の動作を、選択された最大空気圧および最低気温を満たすために空気圧システムのうちの少なくとも１つに圧縮空気を供給するよう制御するステップと
をさらに含む、項目２に記載の方法。
【００７４】
項目４．可変速圧縮機の速度を、所望の圧縮機システム出力圧力を満たすよう制御するステップをさらに含む、項目１に記載の方法。
【００７５】
項目５．取得された性能要求と特定された最高許容圧縮機空気吐出温度限界とに基づいて可変速空気圧縮機をピーク効率で動作させるための所望の圧縮機動作マップポイントを特定するステップと、
可変速空気圧縮機の形状を、ピーク効率および所定のサージマージンでの圧縮機動作マップポイントを達成するよう制御するステップと
をさらに含む、項目１に記載の方法。
【００７６】
項目６．サージ逃し弁を、圧縮機が圧縮機サージ条件で動作するのを抑制しながら特定された圧縮機動作マップポイントで空気圧システムに圧縮空気を供給するよう制御するステップをさらに含む、項目４に記載の方法。
【００７７】
項目７．熱サージ制御弁を、特定された圧縮機動作マップポイントで空気圧システムに圧縮空気を供給するよう制御し、圧縮機が圧縮機サージ条件で動作するのを抑制し、圧縮機を最高許容空気吐出温度限界未満で動作させるステップをさらに含む、項目４に記載の方法。
【００７８】
項目８．可変速空気圧縮機が、圧縮機の入力または出力のどちらかに位置決めされた複数の調整可能な羽根を含み、方法が、調整可能な羽根の角度を、動作マップポイントを達成するよう変更するステップをさらに含む、項目５に記載の方法。
【００７９】
項目９．ファン空気弁を、圧縮空気の温度を最高許容空気吐出温度限界未満に維持するよう制御するステップをさらに含む、項目１に記載の方法。
【００８０】
項目１０．空気圧システムが空調パックを含み、方法が、
空調パック要求が性能要求の中から最大空気圧として選択された場合、空調パックの流量制御弁を全開に位置決めするステップと、
空調パック要求が最大空気圧として選択されなかった場合、空調パックの流量制御弁の位置を、空調パックに供給される圧縮空気流量を調節するよう調節するステップとをさらに含む、項目１に記載の方法。
【００８１】
項目１１．空気圧システムが空調パックを含み、方法が、
空調パック要求が性能要求の中から最大空気圧として選択された場合、空調パックの流量制御弁を全開に位置決めするステップと、
残りの空気圧システムへの空気流量を調節するステップとをさらに含む、項目１に記載の方法。
【００８２】
項目１２．少なくとも１つの圧縮機条件を監視するステップであって、少なくとも１つの圧縮機条件が、可変速空気圧縮機の圧縮機速度、圧縮機入口圧力、圧縮機出口圧力、圧縮機出口温度、および流量のうちの少なくとも１つを含む、ステップと、
監視された圧縮機条件に基づいて可変速空気圧縮機の速度または形状、サージ逃し弁、熱サージ制御弁、およびファン空気弁のうちの少なくとも１つを制御するステップと
をさらに含む、項目１に記載の方法。
【００８３】
項目１３．最小所望空気マニホールド圧力を特定するステップと、
空気圧システムの大部分または全部が動作していない場合のように空気圧システムの性能要求が低い場合、サージ逃し弁を、特定された最小所望マニホールド圧力を維持するよう制御するステップと
をさらに含む、項目１に記載の方法。
【００８４】
項目１４．空気圧システムの性能要求が低く、１つの動作圧縮機システムがありさえすればよい場合、１つの圧縮機システムを遮断するステップをさらに含む、項目１に記載の方法。
【００８５】
項目１５．圧縮機システムが遮断された場合、圧縮機速度をゼロｒｐｍに制御し、出口遮断弁を閉じるステップをさらに含む、項目１に記載の方法。
【００８６】
項目１６．下流の漏れまたは破裂が検出された場合、１つの圧縮機システムを遮断し、マニホールド隔離弁を閉じるステップをさらに含む、項目１に記載の方法。
【００８７】
当業者には多くの改変形態および変形形態が明らかであろう。さらに、様々な例示的な実施形態は、他の所望の実施形態と比較して異なる特徴を提供する場合もある。選択された１つまたは複数の実施形態は、実施形態の原理、実際の応用を最もよく説明し、当業者が、企図される特定の用途に適する様々な改変を伴った様々な実施形態について本開示を理解することを可能にするために選択され、説明されている。
【符号の説明】
【００８８】
１０  圧縮空気環境
１２  空気圧システム
１４  プラットフォーム
１６  航空機
２０  左翼防氷装置（ＷＡＩ）
２２  右翼防氷装置（ＷＡＩ）
２４  左翼空気圧式油圧システム
２６  右翼空気圧式油圧システム
３０  左空調（Ｌ  ＡＣ）パック
３２  右空調（Ｒ  ＡＣ）パック
４０  飲料水ユニット
４２  補助動力ユニット（ＡＰＵ）
４４  貨物ヒーター
４６  第１の空気駆動式ポンプ（ＡＤＰ）
４８  窒素生成システム（ＮＧＳ）
５０  第２の空気駆動式ポンプ（ＡＤＰ）
５２  全大気温度プローブ（ＴＡＴ）
１００  給気圧縮機システム
１０２  圧縮空気
１０４  マニホールド
１１０  可変速空気圧縮機
１１２  圧縮機コントローラー
１２０  ライン
１２１  空気
１２２  航空機エンジン
１３０  コンピューターシステム
１４０  予冷器
１５０，１５２  圧力センサー
１５４  温度センサー
１５６  流量センサー
１６０  熱サージ制御弁（ＨＳＣＶ）
１６２  サージ逃し弁
１６４  出口遮断弁
２００  空気圧縮機
２０２  変速機
２０３  速度
２０４  エンジンコア
２０６  回転シャフト
２０８  形状
２１０  羽根
２１２  角度
２１４  エンジンファン
【図１】
2020153364.tif 000003
【図２】
2020153364.tif 000004
【図３】
2020153364.tif 000005
【図４Ａ】
2020153364.tif 000006
【図４Ｂ】
2020153364.tif 000007
【図５】
2020153364.tif 000008
【外国語明細書】
2020153364000001.pdf